(57)【要約】【課題】放熱体表面に素手が触れないＬＥＤランプ及びＬＥＤランプ用放熱体カバーを提供することを目的とする。【解決手段】放熱体１１に放熱体カバー１７を装着する。ＬＥＤランプ１０の点灯時、ランプ１０の内部で発生する熱によって加熱された放熱体１１の周囲の空気は放熱体カバー１７の通気穴１７ｃ，１７ｄを通って放熱体カバー１７の外部に排出される。放熱体に放熱体カバーを装着するので、放熱体１１の表面に素手が触れるのを防止でき、安全性が向上する。【選択図】図１
2014032831.tif 000002
【特許請求の範囲】
【請求項１】
ＬＥＤチップを実装したモジュール基板を金属製放熱体の一端に固定し、モジュール基板を覆うように透明又は半透明のグローブを金属製放熱体の一端に固定し、放熱体の他端に口金を取り付け、ＬＥＤチップに電力を供給する点灯回路を放熱体及び／又は口金の内部に配置し、点灯回路と口金を電気的に接続したＬＥＤランプであって、
両端面に開口を形成し、周壁面に内外を貫通する通気穴を形成した非金属製材料から成る筒状の放熱体カバーを備え、
放熱体カバーの一端開口から口金が露出し、他端開口からグローブが露出するように放熱体カバーを放熱体に装着したことを特徴とするＬＥＤランプ。
【請求項２】
口金が露出する放熱体カバーの一端開口に放熱体の端部外周部を圧入して放熱体カバーを放熱体に固定するようにしたことを特徴とする請求項１に記載のＬＥＤランプ。
【請求項３】
口金が露出する放熱体カバーの一端開口の内周面を放熱体の端部外周部に接着して放熱体カバーを放熱体に固定するようにしたことを特徴とする請求項１に記載のＬＥＤランプ。
【請求項４】
口金が露出する放熱体カバーの一端開口又は他端開口の内周面にネジ溝を形成するとともに、放熱体の外周面にネジ溝を形成し、放熱体の外周面のネジ溝に放熱体カバーの一端開口又は他端開口の内周面のネジ溝をねじ込んで放熱体カバーを放熱体に固定するようにしたことを特徴とする請求項１に記載のＬＥＤランプ。
【請求項５】
放熱体カバーが断面半円形の左半分と右半分体から成り、
左半分体と右半分体がヒンジで開閉可能に連結され、
左半分体の反ヒンジ側端部に係合部を設け、
右半分体の反ヒンジ側端部に係合部が離脱可能に係合する被係合部を設け、
左半分体と右半分体を閉じたとき放熱体カバーの一端開口と他端開口が形成されるようにしたことを特徴とする請求項１に記載のＬＥＤランプ。
【請求項６】
ＬＥＤチップを実装したモジュール基板を金属製放熱体の一端に固定し、モジュール基板を覆うように透明又は半透明のグローブを金属製放熱体の一端に固定し、放熱体の他端に口金を取り付け、ＬＥＤチップに電力を供給する点灯回路を放熱体及び／又は口金の内部に配置し、点灯回路と口金を電気的に接続したＬＥＤランプに装着するＬＥＤランプ用放熱体カバーであって、
両端面に開口を形成し、周壁面に内外を貫通する通気穴を形成した非金属製材料から成る筒構造を備え、
一端開口から口金が露出し、他端開口からグローブが露出するように放熱体に装着するようにしたことを特徴とするＬＥＤランプ用放熱体カバー。
【請求項７】
口金が露出する一端開口に放熱体の端部外周部を圧入して放熱体に固定するようにしたことを特徴とする請求項６に記載のＬＥＤランプ用放熱体カバー。
【請求項８】
口金が露出する一端開口の内周面を放熱体の端部外周部に接着して放熱体に固定するようにしたことを特徴とする請求項６に記載のＬＥＤランプ用放熱体カバー。
【請求項９】
口金が露出する一端開口又は他端開口の内周面にネジ溝を形成し、放熱体の外周面に形成されたネジ溝に一端開口又は他端開口の内周面のネジ溝をねじ込んで放熱体に固定するようにしたことを特徴とする請求項６に記載のＬＥＤランプ用放熱体カバー。
【請求項１０】
断面半円形の左半分体と右半分体から成り、
左半分体と右半分体がヒンジで開閉可能に連結され、
左半分体の反ヒンジ側端部に係合部を設け、
右半分体の反ヒンジ側端部に係合部が離脱可能に係合する被係合部を設け、
左半分体と右半分体を閉じたとき一端開口と他端開口が形成されるようにしたことを特徴とする請求項６に記載のＬＥＤランプ用放熱体カバー。
【発明の詳細な説明】
【技術分野】
【０００１】
本発明は、ＬＥＤチップを光源として内蔵するＬＥＤランプ及びＬＥＤランプの放熱体に装着するＬＥＤランプ用放熱体カバーに関する。
【背景技術】
【０００２】
近時、消費電力の大きい白熱電球に代えて、消費電力の少ないＬＥＤを光源として用いるＬＥＤランプの需要が高まっている。
一般に、この種のＬＥＤランプはＬＥＤチップを実装したモジュール基板を熱伝導性と放熱性に優れたアルミニウムなどの金属製放熱体の一端に固定し、モジュール基板を覆うように透明又は半透明のグローブを放熱体に取付け、放熱体の他端側に口金を取り付け、ＬＥＤチップに電力を供給する点灯回路を放熱体に内蔵し、点灯回路と口金を電気的に接続した構成を備えている。
【先行技術文献】
【特許文献】
【０００３】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【発明の概要】
【発明が解決しようとする課題】
【０００４】
この種のＬＥＤランプでは、点灯時に発生する熱が放熱体を伝って外部に発散するので、放熱体内部の点灯回路の熱による劣化が防止できる。
しかし、放熱体表面が熱を発散させるため外部に露出しているので、うっかり放熱体の表面に素手で触れると、その熱さに驚かされることとなる。そのため、この種のＬＥＤランプを使用する場合、素手で、とりわけ乳幼児が素手で触れないように注意しなければならない。
【０００５】
本発明はかかる問題点に鑑み、放熱体表面に素手が触れないＬＥＤランプ及びＬＥＤランプ用放熱体カバーを提供することを目的とする。
【課題を解決するための手段】
【０００６】
請求項１に記載の発明は、ＬＥＤチップを実装したモジュール基板を金属製放熱体の一端に固定し、モジュール基板を覆うように透明又は半透明のグローブを金属製放熱体の一端に固定し、放熱体の他端に口金を取り付け、ＬＥＤチップに電力を供給する点灯回路を放熱体及び／又は口金の内部に配置し、点灯回路と口金を電気的に接続したＬＥＤランプであって、
両端面に開口を形成し、周壁面に内外を貫通する通気穴を形成した非金属製材料から成る筒状の放熱体カバーを備え、
放熱体カバーの一端開口から口金が露出し、他端開口からグローブが露出するように放熱体カバーを放熱体に装着したことを特徴とするＬＥＤランプ。
【０００７】
請求項２に記載の発明は、請求項１に記載のＬＥＤランプにおいて、口金が露出する放熱体カバーの一端開口に放熱体の端部外周部を圧入して放熱体カバーを放熱体に固定するようにしたことを特徴とする。
【０００８】
請求項３に記載の発明は、請求項１に記載のＬＥＤランプにおいて、口金が露出する放熱体カバーの一端開口の内周面を放熱体の端部外周部に接着して放熱体カバーを放熱体に固定するようにしたことを特徴とする。
【０００９】
請求項４に記載の発明は、請求項１に記載のＬＥＤランプにおいて、口金が露出する放熱体カバーの一端開口又は他端開口の内周面にネジ溝を形成するとともに、放熱体の外周面にネジ溝を形成し、放熱体の外周面のネジ溝に放熱体カバーの一端開口又は他端開口の内周面のネジ溝をねじ込んで放熱体カバーを放熱体に固定するようにしたことを特徴とする。
【００１０】
請求項５に記載の発明は、請求項１に記載のＬＥＤランプにおいて、放熱体カバーが断面半円形の左半分と右半分体から成り、
左半分体と右半分体がヒンジで開閉可能に連結され、
左半分体の反ヒンジ側端部に係合部を設け、
右半分体の反ヒンジ側端部に係合部が離脱可能に係合する被係合部を設け、
左半分体と右半分体を閉じたとき放熱体カバーの一端開口と他端開口が形成されるようにしたことを特徴とする。
【００１１】
請求項６に記載の発明は、ＬＥＤチップを実装したモジュール基板を金属製放熱体の一端に固定し、モジュール基板を覆うように透明又は半透明のグローブを金属製放熱体の一端に固定し、放熱体の他端に口金を取り付け、ＬＥＤチップに電力を供給する点灯回路を放熱体及び／又は口金の内部に配置し、点灯回路と口金を電気的に接続したＬＥＤランプに装着するＬＥＤランプ用放熱体カバーであって、
両端面に開口を形成し、周壁面に内外を貫通する通気穴を形成した非金属製材料から成る筒構造を備え、
一端開口から口金が露出し、他端開口からグローブが露出するように放熱体に装着するようにしたことを特徴とする。
【００１２】
請求項７に記載の発明は、請求項６に記載のＬＥＤランプ用放熱体カバーにおいて、口金が露出する一端開口に放熱体の端部外周部を圧入して放熱体に固定するようにしたことを特徴とする。
【００１３】
請求項８に記載の発明は、請求項６に記載のＬＥＤランプ用放熱体カバーにおいて、口金が露出する一端開口の内周面を放熱体の端部外周部に接着して放熱体に固定するようにしたことを特徴とする。
【００１４】
請求項９に記載の発明は、請求項６に記載のＬＥＤランプ用放熱体カバーにおいて、口金が露出する一端開口又は他端開口の内周面にネジ溝を形成し、放熱体の外周面に形成されたネジ溝に一端開口又は他端開口の内周面のネジ溝をねじ込んで放熱体に固定するようにしたことを特徴とする。
【００１５】
請求項１０に記載の発明は、請求項６に記載のＬＥＤランプ用放熱体カバーにおいて、断面半円形の左半分体と右半分体から成り、
左半分体と右半分体がヒンジで開閉可能に連結され、
左半分体の反ヒンジ側端部に係合部を設け、
右半分体の反ヒンジ側端部に係合部が離脱可能に係合する被係合部を設け、
左半分体と右半分体を閉じたとき一端開口と他端開口が形成されるようにしたことを特徴とする。
【発明の効果】
【００１６】
請求項１に記載の発明に係るＬＥＤランプ１０の点灯時、ランプ内部で発生する熱によって放熱体の周囲の空気が加熱される。加熱された空気は放熱体カバーの通気穴を通って放熱体カバーの外部に排出される。
しかして、請求項１及び請求項６に記載の発明によれば、ＬＥＤランプの放熱体に非金属製材料から成る筒状の放熱体カバーを装着するので、放熱体の表面に素手が触れるのを防止でき、安全性が向上する。
【００１７】
請求項２及び請求項７に記載の発明によれば、口金が露出する放熱体カバーの一端開口に放熱体の端部外周部を圧入して放熱体カバーを放熱体に固定するので、放熱体カバーが放熱体から脱落するのを防止できる。
【００１８】
請求項３及び請求項８に記載の発明によれば、口金が露出する放熱体カバーの一端開口の内周面を放熱体の端部外周部に接着して放熱体カバーを放熱体に固定するので、放熱体カバーが放熱体から脱落するのを防止できる。
【００１９】
請求項４及び請求項９に記載の発明によれば、放熱体カバーを放熱体にネジ止めするので、放熱体カバーが放熱体から脱落するのを防止できる。また、放熱体カバーの着脱も容易である。
【００２０】
請求項５及び請求項１０に記載の発明によれば、開放した左半分体と右半分体を放熱体に被せ、係合部を被係合部に係合して左半分体と右半分体を閉じることにより放熱体カバーを放熱体に装着できるので、放熱体カバーの装着が容易になる。
【図面の簡単な説明】
【００２１】
【図１】本発明の第１実施例に係るＬＥＤランプ及び第１実施例に係るＬＥＤランプ用放熱体カバーを示す断面図である。
【図２】本発明の第１実施例に係るＬＥＤランプ用放熱体カバーを示す斜視図である。
【図３】本発明の第２実施例に係るＬＥＤランプ用放熱体カバーを示す斜視図である。
【図４】本発明の第３実施例に係るＬＥＤランプ用放熱体カバーを示す斜視図である。
【図５】本発明の第２実施例に係るＬＥＤランプ及び第４実施例に係るＬＥＤランプ用放熱体カバーを示す断面図である。
【図６】本発明の第４実施例に係るＬＥＤランプ用放熱体カバーを示す斜視図である。
【図７】本発明の第３実施例に係るＬＥＤランプ及び第５実施例に係るＬＥＤランプ用放熱体カバーを示す断面図である。
【図８】本発明の第４実施例に係るＬＥＤランプ及び第６実施例に係るＬＥＤランプ用放熱体カバーを示す断面図である。
【図９】本発明の第６実施例に係るＬＥＤランプ用放熱体カバーを示す斜視図である。
【実施例１】
【００２２】
以下に本発明を図面に基づき説明するに、図１には本発明の第１実施例に係るＬＥＤランプ１０及び第１実施例に係る放熱体カバー１７が示されている。当該ＬＥＤランプ１０はアルミニウム製の放熱体１１、ＬＥＤチップ１２を実装したモジュール基板１３、半透明のガラス製または樹脂製のドーム形グローブ１４、口金１５、ＬＥＤチップ１２に電力を供給する点灯回路１６及び第１実施例に係る放熱体カバー１７を備えている。
【００２３】
放熱体１１は逆円錐台形の外観を有し、外周部には表面積を増加して放熱効果を高めるため多数のフィン１１ａが形成されている。放熱体１１の一端面１１ｂには、モジュール基板１３が固定されている。放熱体１１の他端１１ｃの開口端面に口金１５が装着され、放熱体１１の内部空間と口金１５の内部空間が連通している。そして、放熱体１１及び口金１５の内部空間に点灯回路１６が配置され、モジュール基板１３と点灯回路１６がリード線１８で接続されて、点灯回路１６と口金１５がリード線１９で電気的に接続されている。
【００２４】
放熱体１１の端面１１ｂにはモジュール基板１３を取り囲むようにリング溝１１ｄが形成されている。このリング溝１１ｄにグローブ１４の下端開口端部が嵌合し、接着剤によって放熱体１１に固着されている。このグローブ１４はモジュール基板１３を覆うように放熱体１１に取り付けられている。
【００２５】
放熱体１１の端面１１ｂに固定したモジュール基板１３には柱状の導光部材２０が固設されている。導光部材２０はプラスチック成形品で先端部に反射部２０ａを有し、反射部２０ａの内面に四角錐の形状を有する反射面２０ｂが形成されている。一方、導光部材２０の基端部には凹部２０ｃが形成され、この凹部２０ｃをＬＥＤチップ１２に被せるようにして導光部材２０がモジュール基板１３に取付けられている。凹部２０ｃに対向配置したＬＥＤチップ１２が発する光は凹部２０ｃから導光部材２０中に入射し、反射面２０ｂで反射されて、反射部２０ａの周囲に拡散する。
【００２６】
第１実施例に係る放熱体カバー１７は図２に示すように、両端に開口１７ａ，１７ｂを形成した円筒構造を有し、プラスチックゴムで成形されている。一端開口１７ａの内径は放熱体１１の口金側の端部１１ｃの外径と略同寸法に設定され、他端開口１７ｂの内径は放熱体１１のグローブ側の端部１１ｂの外径より大きく設定されている。放熱体カバー１７の開口１７ａを形成した端面には開口１７ａの周囲に等角度間隔で複数個の円形通気穴１７ｃが形成されている。また、周壁面の開口１７ｂ側の端部に複数個の円形通気穴１７ｄが等角度間隔で形成されている。円形通気穴１７ｃ，１７ｄはいずれも放熱体カバー１７の内外を貫通している。放熱体カバー１７は小径の開口１７ａから口金１５が露出し、大径の開口１７ｂからグローブ１４が露出するように放熱体１１に装着されている。放熱体カバー１７を放熱体１１に装着するとき、放熱体１１の端部１１ｃのテーパ面１１ｅが放熱体カバー１７の小径の開口１７ａに圧入される。放熱体カバー１７はテーパ面１１ｅを小径開口１７ａに圧入することにより放熱体１１の端部１１ｃに圧着して固定される。放熱体１１と、放熱体１１に装着した放熱体カバー１７との間には放熱体カバー１７の内周壁面が放熱体１１の外周面に接触しないように所定の隙間が形成される。
【００２７】
第１実施例に係るＬＥＤランプ１０及び第１実施例に係る放熱体カバー１７の構造は以上の通りであって、ＬＥＤランプ１０の点灯時、ランプ１０の内部で発生する熱によって放熱体１１の周囲の空気が加熱される。加熱された空気は放熱体カバー１７の通気穴１７ｃ，１７ｄを通って放熱体カバー１７の外部に排出される。
【００２８】
第１実施例に係るＬＥＤランプ１０及び第１実施例に係る放熱体カバー１７によれば、放熱体１１にプラスチックゴム製の放熱体カバー１７を装着するので、放熱体１１の表面に素手が触れるのを防止でき、安全性が向上する。
なお、本実施例では放熱体カバー１７の一端開口１７ａを放熱体１１の端部１１ｃに圧着して固定したが、一端開口１７ａを放熱体１１の端部１１ｃに接着剤で接着すれば、より強固に固定できる。
【実施例２】
【００２９】
本発明の第２実施例に係る放熱体カバー２１を図３に示す。当該放熱体カバー２１は硬質プラスチックの成型品であって、両端面にそれぞれ口金１５が露出する開口２１ａとグローブ１４が露出する開口２１ｂが形成されている。また、第１実施例における円形通気穴１７ｃ，１７ｄに替えて、周壁面に縦長長方形の通気穴２１ｃが等角度間隔で形成されている。この通気穴２１ｃは乳幼児の指先が入らないサイズに設定されている。第２実施例に係る放熱体カバー２１は第１実施例に係る放熱体カバー１７と同じ要領でＬＥＤランプ１０に装着される。
第２実施例に係る放熱体カバー２１では、放熱体１１の周囲の加熱された空気が縦長長方形の通気穴２１ｃを通って放熱体カバー２１の外部へ排出される。
【実施例３】
【００３０】
本発明の第３実施例に係る放熱体カバー２２を図４に示す。当該放熱体カバー２２は硬質プラスチックの成型品で全体がネット状に成形され、両端面にそれぞれ口金１５が露出する開口２２ａとグローブ１４が露出する開口２２ｂが形成されている。第３実施例に係る放熱体カバー２２では、放熱体１１の周囲の加熱された空気がネットの網目で構成される通気穴２２ｃを通って放熱体カバー２２の外部へ排出される。
【００３１】
本発明の第２実施例に係るＬＥＤランプ３０及び第４実施例に係る放熱体カバー２３を図５及び図６に示す。当該放熱体カバー２３は外観形状が碗形の筒構造を有し、一端に小径開口２３ａが形成され、他端に大径開口２３ｂが形成されている。放熱体カバー２３の外周部には多数の通気穴２３ｃが形成されている。小径開口２３ａの内周面にはネジ溝２３ｄが形成されている。一方、ＬＥＤランプの放熱体１１の端部１１ｃの外周面にネジ溝１１ｆが形成されている。第４実施例に係る放熱体カバー２３は放熱体１１の端部１１ｃのネジ溝１１ｆに小径開口２３ａのネジ溝２３ｄをネジ付けることにより、放熱体１１に固着されている。
なお、第２実施例に係るＬＥＤランプ３０の他の構造は第１実施例に係るＬＥＤランプ１０と同じであるので、同一の構成要素に同一の符号を付して説明を省略する。
【００３２】
第２実施例に係るＬＥＤランプ３０及び第４実施例に係る放熱体カバー２３によれば、放熱体カバー２３を放熱体１１にネジ止めするので、放熱体カバー２３が放熱体１１から脱落するのを防止できる。また、放熱体カバー２３の着脱も容易である。
【実施例４】
【００３３】
本発明の第３実施例に係るＬＥＤランプ４０及び第５実施例に係る放熱体かバー２４を図７に示す。当該放熱体カバー２４は外観形状が碗形の筒構造を有し、一端に小径開口２４ａが形成され、他端に大径開口２４ｂが形成されている。放熱体カバー２４の外周部には多数の通気穴２４ｃが形成されている。大径開口２４ｂの内周面にはネジ溝２４ｄが形成されている。一方、ＬＥＤランプ４０の放熱体１１の端部１１ｂの外周面にネジ溝１１ｇが形成されている。第５実施例に係る放熱体カバー２４は放熱体１１の端部１１ｂのネジ溝１１ｇに大径開口２４ｂのネジ溝２４ｄをネジ付けることにより、放熱体１１に固着されている。
なお、第３実施例に係るＬＥＤランプ４０の他の構造は第１実施例に係るＬＥＤランプ１０と同じであるので、同一の構成要素に同一の符号を付して説明を省略する。
【００３４】
第３実施例に係るＬＥＤランプ４０及び第５実施例に係る放熱体カバー２４によれば、放熱体カバー２４を放熱体１１にネジ止めするので、放熱体カバー２４が放熱体１１から脱落するのを防止できる。
【実施例５】
【００３５】
本発明の第４実施例に係るＬＥＤランプ５０を図８に示す。当該ＬＥＤランプ５０の放熱体１１には第６実施例に係る放熱体カバー２５が装着されている。この放熱体カバー２５は図９に示すように、プラスチックで成形した断面半円形の左半分体２５ａと右半分体２５ｂから成り、左半分体２５ａと右半分体２５ｂが左半分体２５ａ及び右半分体２５ｂより肉薄のヒンジ部２５ｃで開閉可能に連結されている。左半分体２５ａの反ヒンジ側端部には係合凸部２５ｄが一体成形されている。係合凸部２５ｄの先端にはフック部２５ｅが一体成形されている。一方、右半分体２５ｂの反ヒンジ側端部には係合凸部２５ｄが進入可能なガイド穴２５ｆが形成されている。また、右半分体の反ヒンジ側端部２５ｂの外周部にはフック部２５ｄが離脱可能に係合する被係合穴２５ｇが形成されている。
【００３６】
第６実施例に係る放熱体カバー２５は左半分体２５ａと右半分体２５ｂを閉じたとき、口金１５が露出する一端開口２５ｈとグローブ１４が露出する他端開口２５ｋが形成される円筒形状を備えている。一端開口２５ｈと他端開口２５ｋの内径は放熱体１１の端部の外径と略同寸に設定されている。
【００３７】
左半分体２５ａ及び右半分体２５ｂの周壁面には多数の通気穴２５ｍが形成されている。また、左半分体２５ａ及び右半分体２５ｂの内周壁面にはそれぞれ放熱体１１のフィン１１ａとフィン１１ａの間隙に進入可能な係止凸片２５ｎが一体成形されている。
【００３８】
第６実施例に係る放熱体カバー２５の構造は以上の通りであって、放熱体カバー２５は開放した左半分体２５ａと右半分体２５ｂを放熱体１１に被せ、ガイド穴２５ｆを通して係合凸部２５ｄの先端のフック部２５ｅを被係合穴２５ｇに係合することにより放熱体１１に装着されている。フック部２５ｅを被係合穴２５ｇに係合すると、左半分体２５ａと右半分体２５ｂが閉じられ、係止凸片２５ｎが放熱体のフィン１１ａとフィン１１ａの間に侵入するので、放熱体カバー２５が放熱体１１に固定される。被係合穴２５ｇから露出しているフック部２５ｅを押し込めば、係合凸部が被係合穴２５ｇから外れるので、左半分体２５ａと右半分体２５ｂを開くことができる。
なお、第４実施例に係るＬＥＤランプ５０の他の構造は第１実施例に係るＬＥＤランプ１０と同じであるので、同一の構成要素に同一の符号を付して説明を省略する。
【００３９】
第４実施例に係るＬＥＤランプ５０及び第６実施例に係る放熱体かバー２５によれば、開放した左半分体２５ａと右半分体２５ｂを放熱体１１に被せ、係合凸部２５ｄを被係合穴２５ｇに係合して左半分体２５ａと右半分体２５ｂを閉じることにより、放熱体カバー２５を放熱体１１に装着できるので、放熱体カバー２５の装着が容易になる。
【００４０】
第１実施例〜第６実施例に係る放熱体カバー１７，２１，２２，２３，２４，２５はプラスチックで成形したが、ＬＥＤランプ１０，３０，４０，５０の点灯時、放熱体１１の表面温度はせいぜい数十度まで上昇するに過ぎないので、放熱体カバー１７，２１，２２，２３，２４，２５の材質としてプラスチックの他に、布や紙を用いることも可能である。
【符号の説明】
【００４１】
１０，３０，４０，５０…ＬＥＤランプ
１１…放熱体
１１ａ…フィン
１２…ＬＥＤチップ
１３…モジュール基板
１４…グローブ
１５…口金
１６…点灯回路
１７，２１，２２，２３，２４，２５…放熱体カバー
１７ａ，１７ｂ，２１ａ，２１ｂ，２２ａ，２２ｂ，２３ａ，２３ｂ，２４ａ，２４ｂ，２５ｈ，２５ｋ…開口
１７ｃ，１７ｄ，２１ｃ，２２ｃ，２３ｃ，２４ｃ，２５ｍ…通気穴
２５ａ…左半分体
２５ｂ…右半分体
２５ｃ…ヒンジ部
【図１】
2014032831.tif 000003
【図２】
2014032831.tif 000004
【図３】
2014032831.tif 000005
【図４】
2014032831.tif 000006
【図５】
2014032831.tif 000007
【図６】
2014032831.tif 000008
【図７】
2014032831.tif 000009
【図８】
2014032831.tif 000010
【図９】
2014032831.tif 000011